(57)【要約】【課題】汎用性の高い表示用情報を外部表示器と通信する給水装置および制御方法を提供する。【解決手段】給水装置の不揮発性メモリには、ポンプの台数、給水方式、及び、給水装置の構成を示す機種識別情報、のうちの少なくとも１つを含む装置情報が記憶される。給水装置の制御部は、不揮発性メモリに記憶された装置情報と、制御部の入力部に入力された運転情報とに基づいて、外部表示器に表示する表示用情報を設定し、表示用情報を通信部にて外部と通信する。【選択図】図１
2017198161.tif 000002
【特許請求の範囲】
【請求項１】
給水対象に給水するための給水装置であって、
水を移送する少なくとも１台のポンプと、
前記ポンプを制御する制御部と、
を備え、
前記制御部は、不揮発性メモリ、前記ポンプの運転状態に関する運転情報が入力される入力部、及び、外部表示器に表示する表示用情報を外部と通信するように構成された通信部、を有し、
前記不揮発性メモリには、前記ポンプの台数、給水方式、及び、前記給水装置の構成を示す機種識別情報、のうちの少なくとも１つを含む装置情報が記憶され、
前記制御部は、前記不揮発性メモリに記憶された前記装置情報と前記入力部に入力された前記運転情報とに基づいて前記表示用情報を設定し、
前記表示用情報を前記通信部にて外部と通信する、
給水装置。
【請求項２】
前記表示用情報は、所定台数のポンプに対するそれぞれの運転状態に関する情報を含み、
前記制御部は、前記所定台数のポンプのうち前記装置情報に基づいて認識した台数のポンプについては前記入力部に入力された前記運転情報に基づいて前記表示用情報を設定し、残りのポンプについてはポンプが存在しないことを示す情報を前記表示用情報として設定する、
請求項１に記載の給水装置。
【請求項３】
前記制御部は、前記装置情報に基づいて前記給水方式が直結給水方式と認識したときには前記入力部に入力された前記運転情報に基づいて前記ポンプの吸込側圧力を前記表示用情報として設定する、
請求項１又は２に記載の給水装置。
【請求項４】
前記制御部は、前記不揮発性メモリに記憶された前記装置情報に基づいて前記機種識別情報を判別し、判別した前記機種識別情報を前記表示用情報として設定する、
請求項１から３の何れか１項に記載の給水装置。
【請求項５】
前記表示用情報は、前記ポンプの運転／停止状態、前記ポンプの回転数、前記ポンプの積算運転時間、前記ポンプの運転回数、前記ポンプの吐出側圧力、前記ポンプの吸込側圧力、及び、ユーザーにより設定されて前記ポンプを制御するのに用いられる設定情報のうち、少なくとも１つを含む、
請求項１から４の何れか１項に記載の給水装置。
【請求項６】
前記制御部は、前記不揮発性メモリとは別にメモリを有し、前記給水装置の起動時に前記不揮発性メモリに記憶された前記装置情報を前記メモリに記憶する、
請求項１から５の何れか１項に記載の給水装置。
【請求項７】
前記通信部は、前記表示用情報を前記外部表示器に直接に送信する、または、前記表示用情報を遠方監視器に送信して前記遠方監視器を介して前記表示用情報を前記外部表示器に送信する、
請求項１から６の何れか１項に記載の給水装置。
【請求項８】
前記運転情報の少なくとも一部を表示する表示部を更に備える、請求項１から７の何れか１項に記載の給水装置。
【請求項９】
前記通信部は、前記外部表示器から電波を受信して該電波を電力に変換する制御部側アンテナ部である、請求項１から８の何れか１項に記載のポンプ装置。
【請求項１０】
前記通信部は、前記表示用情報を近距離無線通信（ＮＦＣ）によって外部に送信する、請求項１から９の何れか１項に記載のポンプ装置。
【請求項１１】
給水装置の制御方法であって、
前記給水装置のポンプの台数、前記給水方式、及び、前記給水装置の機種識別情報、のうちの少なくとも１つを含む装置情報を、前記給水装置が備える不揮発性メモリに記憶するステップと、
前記不揮発性素子に記憶された前記装置情報と前記ポンプの運転状態に関する運転情報とに基づいて外部表示器に表示する表示用情報を設定するステップと、
前記設定した表示用情報を前記給水装置から外部に送信するステップと、
を含む給水装置の制御方法。
【発明の詳細な説明】
【技術分野】
【０００１】
本発明は、給水装置、及び、給水装置の制御方法に関する。
【背景技術】
【０００２】
給水装置は、建物等の給水対象に水道水を供給するために広く使用されている。給水装置の給水方式としては、水道本管の水を一旦受水槽に貯留し、受水槽の水を給水対象へポンプにて圧送する受水槽方式、及び、水道本管の本管圧を利用しポンプにて増圧することにより給水対象へ水を供給する直結給水方式などが知られている。給水装置では、制御部によりポンプが制御され、例えばポンプの吐出側圧力に基づいて推定末端圧力一定制御または目標圧力一定制御が行われる。また、給水装置が複数台のポンプを備える場合には、給水量に応じて運転ポンプの台数制御、及び、起動するポンプをローテーションする制御が行われる。
【０００３】
給水装置の運転状態に関する情報の表示は、一般的に、給水装置に設けられている運転パネルによって行われる。ここで、給水装置は、機械室またはポンプ室などの電気的なノイズが多い環境に設置されることがあり、運転パネルには電気的ノイズに強い７セグメントＬＥＤおよび表示灯などが使用される。このため運転パネルは比較的簡略化された構成になり、ユーザーに一度に伝達できる情報量が限られていた。これに対して、従来、給水装置に液晶ドットマトリックス表示器を備え、制御部の動作状況を液晶ドットマトリックス表示器にて表示することが提案されている。
【０００４】
また、従来、携帯端末にて操作することができる給水装置が提案されている。携帯端末にて給水装置を操作することにより、給水装置の運転パネルを簡略化することができるとともに、携帯端末の操作部を利用して給水装置に不慣れなユーザーでも容易に給水装置を操作することができる。
【先行技術文献】
【特許文献】
【０００５】
【特許文献１】特開２０１４−１７３５２２号公報
【特許文献２】特開２００５−１７１７８８号公報
【発明の概要】
【発明が解決しようとする課題】
【０００６】
近年、パーソナルコンピュータ、タブレット、スマートフォン等の外部表示器が広く使用されており、給水装置から外部表示器に情報を送信して外部表示器にて情報を表示することが考えられる。これにより、専用の表示用端末を設けなくてもユーザーに伝達できる情報量を増やすことができる。しかし、外部表示器に表示したい内容は、ポンプの台数および給水方式など給水装置の構成によって異なり、給水装置ごとに表示用のソフトウェアを用意することは困難である。また、複数の給水装置を監視する作業員にとって給水装置ごとに専用のソフトウェアを起動することは煩雑となる。
【０００７】
本発明は、上述した事情に鑑みてなされたもので、汎用性の高い表示用情報を外部表示器と通信できる給水装置および制御方法を提供することを目的とする。
【課題を解決するための手段】
【０００８】
本発明の給水装置は、給水対象に給水するための給水装置であって、水を移送する少なくとも１台のポンプと、ポンプを制御する制御部と、を備える。制御部は、書き換え可能
な不揮発性メモリ、ポンプの運転状態に関する運転情報が入力される入力部、及び、外部表示器に表示する表示用情報を外部に送信するように構成された通信部、を有する。不揮発性メモリには、ポンプの台数、給水方式、及び、給水装置の構成を示す機種識別情報、のうちの少なくとも１つを含む装置情報が記憶される。そして、制御部は、不揮発性メモリに記憶された装置情報と入力部に入力された運転情報とに基づいて表示用情報を設定し、表示用情報を通信部にて外部と通信する。
かかる構成により、本発明の給水装置は、不揮発性メモリに記憶されている装置情報に基づいて表示用情報を設定する。これにより、汎用性の高い表示用情報を外部表示器と通信することができる。そして、給水装置から表示用情報を受信した外部表示器は、装置情報ごとの専用のソフトウェアによらず、汎用性の高いソフトウェアを用いて表示用情報を表示することができる。
【０００９】
また、表示用情報は、所定台数のポンプに対するそれぞれの運転状態に関する情報を含んでもよい。そして、制御部は、装置情報に基づいてポンプの台数を認識したときには、所定台数のポンプのうち認識した台数のポンプについては入力部に入力された運転情報に基づいて表示用情報を設定し、残りのポンプについてはポンプが存在しないことを示す情報を表示用情報として設定してもよい。
こうすれば、給水装置のポンプの台数が異なっていても、汎用性の高い表示用情報を外部に送信することができる。
【００１０】
また、制御部は、装置情報に基づいて給水方式を認識したときに、ポンプの吸込口が直接に水道本管と接続されているときには入力部に入力された運転情報に基づいてポンプの吸込側圧力を表示用情報として設定してもよい。
こうすれば、吸込側圧力の表示の有無の認識にて給水方式の設定を確認しなくても直結給水であると認識することができる。
【００１１】
また、装置情報には、機種識別情報が含まれなくてもよい。そして、制御部は、不揮発性メモリに記憶された装置情報に基づいて機種識別情報を判別し、判別した機種識別情報を表示用情報として設定してもよい。
こうすれば、不揮発性メモリに記憶された装置情報に基づいて、外部表示器において機種識別情報を表示することができる。
【００１２】
また、表示用情報は、ポンプの運転／停止状態、ポンプの回転数、ポンプの積算運転時間、ポンプの運転回数、ポンプの吐出側圧力、ポンプの吸込側圧力、及び、ユーザーにより設定されてポンプを制御するのに用いられる設定情報のうち、少なくとも１つを含んでもよい。
【００１３】
また、制御部は、不揮発性メモリとは別にメモリを有してもよい。そして、制御部は、給水装置の起動時に不揮発性メモリに記憶された装置情報をメモリに記憶してもよい。
【００１４】
また、通信部は、表示用情報を外部表示器に直接に送信してもよいし、表示用情報を遠方監視器に送信して遠方監視器を介して表示用情報を外部表示器に送信してもよい。
【００１５】
また、運転情報の少なくとも一部を表示する表示部を更に備えてもよい。
【００１６】
また、通信部は、外部表示器から電波を受信して該電波を電力に変換する制御部側アンテナ部であってもよい。
【００１７】
また、通信部は、表示用情報を近距離無線通信（ＮＦＣ）によって外部に送信してもよい。
【００１８】
本発明の給水装置の制御方法は、給水装置のポンプの台数、給水方式、及び、給水装置の機種識別情報、のうちの少なくとも１つを含む装置情報を、給水装置が備える不揮発性メモリに記憶するステップを含む。また、制御方法は、不揮発性素子に記憶された装置情報とポンプの運転状態に関する運転情報とに基づいて外部表示器に表示する表示用情報を設定するステップと、設定した表示用情報を給水装置から外部に送信するステップと、を含む。
かかる構成により、本発明の給水装置の制御方法は、上記した本発明の制御装置と同様の効果を奏することができる。
【図面の簡単な説明】
【００１９】
【図１】本発明の実施形態に係る給水装置の一例を示す平面図である。
【図２】本発明の実施形態に係る給水装置の一例を示す正面図ある。
【図３】本発明の実施形態に係る給水装置の一例を示す左側面図である。
【図４】制御部の一例を示す概略ブロック構成図である。
【図５】制御部により実行される表示用データ設定処理の一例を示すフローチャートである。
【図６】給水装置の電源がオンされた直後の不揮発性メモリ、制御用メモリ、及び、通信用メモリに格納されているデータの一例を示す図である。
【図７】図５中ステップＳ１００の処理が実行されたときの不揮発性メモリ、制御用メモリ、及び、通信用メモリに格納されているデータの一例を示す図である。
【図８】図５中ステップＳ１１０の処理が実行されたときの不揮発性メモリ、制御用メモリ、及び、通信用メモリに格納されているデータの一例を示す図である。
【図９】図５中ステップＳ１２０の処理が実行されたときの不揮発性メモリ、制御用メモリ、及び、通信用メモリに格納されているデータの一例を示す図である。
【図１０】変形例の制御部および外部表示器を示す図である。
【発明を実施するための形態】
【００２０】
以下、本発明の実施形態について図面を参照して詳細に説明する。
図１〜図３は本発明の実施形態に係る給水装置の一例を示す模式図であり、図１は平面図、図２は正面図、図３は左側面図である。図示するように給水装置１０は、ベース２０の上に、二台のポンプ３０Ａ，３０Ｂと、これらポンプ３０Ａ，３０Ｂの中間に配置される圧力タンク５０とが載置されている。また、給水装置１０は、ポンプ３０Ａ，３０Ｂの吐出側に接続される吐出配管４０と、圧力タンク５０の上部に設置される制御盤６０とを具備して構成されている。以下各構成部品について説明する。
【００２１】
まず、給水装置１０の建物への給水方式としては、水道本管の水を一旦受水槽に貯留し、受水槽の水を給水対象へポンプにて圧送する受水槽方式、及び、水道本管の本管圧を利用しポンプにて増圧することにより給水対象へ水を供給する直結給水方式などがある。また、給水対象への給水方式としては、ポンプにて増圧した水を直接圧送する直送式、または、ポンプにて増圧した水を屋上のタンクに一旦貯留し、自然流下にて給水を行う高置水槽方式等がある。
【００２２】
ベース２０は略矩形の平板状で、長手方向の両側辺は下方向に折り曲げられた後に外方向に折り曲げられることで、Ｌ字状の固定辺２３，２３を構成している。
【００２３】
ポンプ３０Ａ，３０Ｂは、それぞれポンプ部３１Ａ，３１Ｂと、これらを駆動するモータ部３３Ａ，３３Ｂとを備えている。ポンプ部３１Ａ，３１Ｂの手前側の端面には、図示しない受水槽または水道本管から分岐した供給管(不図示)を接続する吸込部３５Ａ，３５Ｂが設けられ、またポンプ部３１Ａ，３１Ｂの上面には吐出部３７Ａ，３７Ｂが設けられ
ている。なお、直結給水方式の場合には、吸込部３５Ａ，３５Ｂが水道本管から分岐した供給管に逆流防止装置(不図示)を介して接続され、供給管には、水道本管の圧力を検出する図示しない圧力センサが設けられる。以下、供給管に設けられる水道本管の圧力を計測する圧力センサにより検出される圧力値を「吸込側圧力」という。
【００２４】
吐出配管４０は略Ｔ字状の配管であり、両ポンプ３０Ａ，３０Ｂの吐出部３７Ａ，３７Ｂに、フロースイッチ４９Ａ，４９Ｂ、及びチェッキ弁（逆止弁）４７Ａ，４７Ｂを介してその両端が接続されている。また吐出配管４０の中央には吐出集合管４３が設けられている。これによって両ポンプ３０Ａ，３０Ｂの吐出側は並列に接続され、両ポンプ３０Ａ，３０Ｂの吐出流体は吐出集合管４３にて合流する。またチェッキ弁４７Ａ，４７Ｂによって、ポンプ３０Ａ，３０Ｂが停止したときに吐出配管４０内の水がポンプ３０Ａ，３０Ｂ側に逆流しない。また吐出配管４０の中央の下部にはこの吐出配管４０を圧力タンク５０に連結する連結配管４５が取り付けられ、さらに吐出配管４０には配管内圧力を検出する圧力センサ４８が取り付けられている。そして圧力タンク５０とチェッキ弁４７Ａ，４７Ｂの効果によって、ポンプ３０Ａ，３０Ｂが停止した後の吐出配管４０内の圧力は、水が使用されない限り一定圧力に保持される。以下、圧力センサ４８により検出される圧力値を「吐出側圧力」という。
【００２５】
制御盤６０は、ケース６１内に、ポンプの運転制御を行う各種電気回路からなる制御部６５を内蔵して構成されている。この制御部６５は、外部表示器８０と有線または無線により通信する通信部７３を備えている。外部表示器８０としては、例えばスマートフォン、携帯電話、パソコン、タブレット等の汎用端末機器、または遠隔監視器などの専用端末機器が採用される。
【００２６】
図４は、制御部の一例を示す概略ブロック構成図である。図示するように、制御部６５は、制御用メモリ６６と、通信用メモリ６７と、不揮発性メモリ６８と、演算部６９と、Ｉ／Ｏ部（入力部および出力部）７０と、設定部７１と、表示部７２と、通信部７３と、を備えている。設定部７１及び表示部７２は、給水装置１０の運転パネル７９に備えられている。また、通信用メモリ６７および不揮発性メモリ６８は、通信部７３に含まれるものとしている。ただし、こうした例に限定されず、例えば通信部７３、通信用メモリ６７、及び不揮発性メモリ６８は、別々に構成されてもよい。
【００２７】
また、図３のように制御部６５は通信部７３と別々の基板としてもよい。その場合は、制御部６５と通信部７３はシリアル通信や信号線等にて接続される。制御部６５に制御用メモリ６６と不揮発性メモリ６８を配置し且つ通信部７３に通信用メモリ６７を配置する構成としてもよいし、または、制御部６５に制御用メモリ６６を配置し且つ通信部７３に通信用メモリ６７と不揮発性メモリ６８を配置する構成としてもよい。制御部６５と通信部７３を別々の基板とした場合は、給水装置１０から離れた場所（例えば、管理人室や遠隔監視室等）に設置し、制御部６５とシリアル通信や信号線等で接続された遠隔監視器内に通信部７３を構成してもよい。または、制御部６５に制御用メモリ６６と不揮発性メモリ６８を配置し且つ通信部７３に通信用メモリ６７と不揮発性メモリ（不図示）を配置する構成としてもよい。
【００２８】
設定部７１は、外部操作により、給水を行うのに必要な各種設定値（設定情報）を設定するのに使用される。設定部７１において設定された各種設定値は、制御用メモリ６６に記憶され、更には不揮発性メモリ６８に記憶される。一例として、ユーザーは、設定部７１を介して、停止圧力、始動圧力、及び、その他制御に必要な情報を入力できるようになっている。また、本実施形態では設定部７１には、リセットボタン７４、および、クリアボタン７５が備えられている。クリアボタン７５の押下により、制御部６５は、表示部７２の表示の警報等の表示のみをクリアする。また、リセットボタン７４の押下により、制
御部６５は、異常情報およびメンテナンス情報（例えば、運転時間、始動回数、消耗部品の使用期間、故障履歴）などのデータをリセットする。
【００２９】
表示部７２は、ユーザーインターフェースとして機能し、制御用メモリ６６又は通信用メモリ６７に格納されている設定値等の各種データや、現在のポンプ３０Ａ，３０Ｂの運転状況（運転情報）、例えばポンプ３０Ａ，３０Ｂのそれぞれの運転または停止、運転周波数、電流、吸込側圧力、吐出側圧力、モータ部３３Ａ，３３Ｂを駆動するインバータのトリップ、吸入側圧力低下警報、及び、受水槽警報等を表示する。
【００３０】
不揮発性メモリ６８としては、ＲＯＭ、ＨＤＤ、ＥＥＰＲＯＭ、ＦｅＲＡＭ、及び、フラッシュメモリ等のメモリが使用される。不揮発性メモリ６８には、給水装置１０を制御するための制御プログラム、給水装置１０の装置情報、故障履歴、運転履歴、及び、設定部７１を通じて入力されたデータ等が格納されている。ここで、給水装置１０の装置情報としては、ポンプの台数、ポンプの口径、ポンプの出力、給水方式、および、給水装置の機種名などの少なくとも１つが含まれ、予め工場出荷時に不揮発性メモリ６８に記憶されていてもよいし、給水装置１０の設置時に作業員によって記憶されてもよい。ここで、ポンプの出力は、モータ部３３Ａ，３３Ｂの容量やモータ部３３Ａ，３３Ｂを駆動するためのインバータの容量等にて代用してもよい。また、故障発生時には故障履歴、定期的に給水装置１０の運転履歴等の情報も不揮発性メモリ６８に記憶される。
【００３１】
給水装置１０の装置情報は給水装置の構成によって決まるため、間違った設定を行うと正常な給水が出来なくなる虞がある。よって、本実施形態では、不揮発性メモリ６８に記憶されている装置情報は、外部表示器８０からの指令および設定部７１の操作によって変更できないものとする。もしくはパスワード等により権限を設け、装置情報の変更可能な権限を持ったユーザーのみが変更可能とする。
【００３２】
制御用メモリ６６及び通信用メモリ６７としては、ＲＡＭ等の揮発性メモリが使用される。また、給水装置１０の制御プログラムに支障のない程度、データ読み書きにおけるアクセス時間が短いメモリであれば揮発性メモリでなくてもよい。制御用メモリ６６には、給水装置１０の運転制御を行うための情報が格納され、通信用メモリ６７には、外部表示器８０等に送受信するためのデータが格納される。なお、制御用メモリ６６と通信用メモリ６７とは、別々の回路基板または回路素子で構成されてもよいし、１つの回路基板または回路素子における仮想的な区別であってもよい。制御部６５は、給水装置１０が電源オンされたときに不揮発性メモリ６８に記憶されている装置情報および設定情報を読み込み、必要な情報を制御用メモリ６６に記憶する。制御用メモリ６６には、各種データ、例えば演算部６９における演算結果のデータ（運転時間、積算値等）、圧力値（吸込側圧力、吐出側圧力）、設定部７１を通じて入力された設定データ、及びＩ／Ｏ部７０を通じて入力される、またはＩ／Ｏ部７０を通じて出力されるデータ等が格納される。
【００３３】
Ｉ／Ｏ部７０としては、ポート等が使用される。Ｉ／Ｏ部７０は、圧力センサ４８の入力信号、及び、フロースイッチ４９Ａ，４９Ｂの信号等を受け入れて演算部６９に送る。演算部６９としては、ＣＰＵが使用される。演算部６９は、制御用メモリ６６に格納されているプログラム及び各種データ、並びにＩ／Ｏ部７０から入力される信号に基づいて、ポンプ３０Ａ，３０Ｂを運転するための各種データの設定、計時、及び、演算等を行う。演算部６９からの出力は、Ｉ／Ｏ部７０に入力される。
【００３４】
また、Ｉ／Ｏ部７０とポンプ３０Ａ，３０Ｂを駆動するインバータとは、ＲＳ４２２，２３２Ｃ，４８５等の通信手段により互いに接続される。Ｉ／Ｏ部７０からポンプ３０Ａ，３０Ｂへは、各種設定値や周波数指令値、発停信号（運転・停止信号）などの制御信号がインバータへ送られ、ポンプ３０Ａ，３０ＢからＩ／Ｏ部７０へは、実際の周波数値や
電流値等の運転状況（運転情報）がインバータから逐次送られる。
【００３５】
なお、Ｉ／Ｏ部７０とポンプ３０Ａ，３０Ｂを駆動するインバータとの間で送受信される制御信号としては、アナログ信号および／またはデジタル信号を用いることができる。例えば、回転周波数等にはアナログ信号を用い、運転停止指令等にはデジタル信号を用いることができる。また、３０Ａ，３０Ｂの可変速制御を行わない場合はインバータはなくてもよい。
【００３６】
通信部７３は、有線通信または無線通信によって外部表示器８０と通信可能なように構成されている。無線通信としては、例えば近距離無線通信（ＮＦＣ：Near  Field  Communication）の技術を利用することができる。また、Ｂｌｕｅｔｏｏｔｈ（登録商標）およびＷｉ−Ｆｉなど、任意の方式の無線通信を利用することができる。ただし、ＮＦＣは、制御部６５と外部表示器８０とを近づけるだけで通信を完了させることができる点で有利である。また、有線通信としては、例えば制御部６５にＵＳＢ（Universal  Serial  Bus）のような外部接続端子が設けられ、ここに外部表示器８０が接続されることによって通信がなされてもよいし、ＲＳ４２２，２３２Ｃ，４８５等のシリアル通信を用いてもよい。
【００３７】
本実施形態では、表示部７２として、７セグメントＬＥＤ及び表示灯などの簡易な表示器を採用することができる。また、外部表示器８０として、タッチ入力方式または押圧ボタン方式を用いた液晶画面での高機能表示器を採用することができる。この場合、表示部７２には簡易な情報を表示でき、外部表示器８０には大きな情報量の情報を表示できる。こうした構成により、外部表示器８０に、制御部６５によるポンプ３０Ａ，３０Ｂの運転状況に関した情報など（例えば、目標圧ＳＶ、現在圧ＰＶ、ポンプ３０Ａ，３０Ｂの運転・停止、及び、ポンプ３０Ａ，３０Ｂの周波数など）を同一画面上に表示することによって、給水装置に不慣れなユーザーも誤解することなく、給水装置１０の状態を認識することができる。また、給水装置１０は、機械室またはポンプ室などの電気的なノイズの多い環境に設置されることがある。こうした場合に備えて、表示部７２として、液晶表示やタッチパネルよりも電気的ノイズに強い７セグメントＬＥＤや表示灯、機械的な押圧ボタンなどにて構成された表示器が使用されてもよい。これにより、外部環境から発生される電気的なノイズによって外部表示器８０の液晶表示やタッチパネル操作に異常が発生した場合でも、表示部７２により給水装置１０の運転に必要な最低限度の表示および操作を行うことができる。したがって、給水装置１０を電気的ノイズの多い環境下にも設置することができる。
【００３８】
さらに、外部表示器８０として、スマートフォン、携帯電話、パソコン、又は、タブレットなどの汎用端末機器を採用した場合には、これらの機器に、外部表示器８０として作用するための専用のアプリケーションソフトウエアをインストールさせてもよい。この場合には、専用のアプリケーションソフトウエアをユーザーのレベル又は目的に沿って複数用意してもよい。
【００３９】
なお、制御部６５に運転パネル７９（表示部７２）が設けられずに、外部表示器（高機能表示器）８０のみが設けられてもよい。この場合、上述した運転パネル７９の機能は外部表示器８０にて全て実施可能とする。給水装置１０には表示器自体を設ける必要がなくなるので、給水装置１０全体のコストを更に下げることが可能である。また、運転パネル７９の設定部７１にリセットボタン７４及びクリアボタン７５が備えられず、代わりに、外部表示器８０にリセットボタン(不図示)又はクリアボタン(不図示)が備えられてもよい。外部表示器８０上のクリアボタンを押すと、外部表示器８０上に表示されている表示が消去される。
【００４０】
次に、制御部６５による給水装置１０の制御について説明する。ポンプ３０Ａ，３０Ｂが停止している状態で吐出側圧力が所定の始動圧力にまで低下すると、制御部６５はポンプ３０Ａ，３０Ｂの少なくとも一方を始動させる。具体的には、制御部６５はポンプ３０Ａ，３０Ｂの駆動を開始するようにモータ部３３Ａ，３３Ｂ（インバータを備える場合にはインバータ）に指令を出す。ポンプ３０Ａ，３０Ｂの運転中は、設定された圧力（設定圧）により推定末端圧力一定制御または目標圧力一定制御などの制御が行われる。具体的には推定末端圧力一定制御の場合はポンプ３０Ａ，３０Ｂの回転数と目標圧力制御カーブとを用いて目標圧（ＳＶ）を設定し、目標圧力一定制御の場合は設定圧を目標圧（ＳＶ）とする。また、吐出側圧力を現在圧（ＰＶ）とする。そして、ＳＶとＰＶの偏差にてＰＩＤ演算を行いポンプ３０Ａ，３０Ｂの指令回転数が設定される。なお、直結給水にて推定末端圧力一定制御を行う場合、吸込側圧力に基づいて目標圧力制御カーブを補正してもよい。具体的には目標圧力制御カーブを吸込側圧力だけ加算し、目標圧（ＳＶ）を算出する。また、制御部６５は、本実施形態のようにポンプが複数台ある場合は、同時に起動可能なポンプ台数（ポンプ並列運転台数）にて水量に応じたポンプの台数制御も行われる。
【００４１】
ポンプ３０Ａ，３０Ｂの運転中に建物での水の使用が少なくなると、フロースイッチ４９Ａ，４９Ｂは、過少水量を検出し、その検出信号を制御部６５に送る。制御部６５はこの検出信号を受け、ポンプ３０Ａ，３０Ｂに指令を出して吐出側圧力が所定の運転停止圧力に達するまでポンプ３０Ａ，３０Ｂの回転数を増加させ、圧力タンク５０に蓄圧した後ポンプ３０Ａ，３０Ｂを停止（小水量停止）させる。ポンプ３０Ａ，３０Ｂが小水量停止した後に、再び建物内で水が使用されると吐出側圧力が始動圧力以下まで低下しポンプ３０Ａ，３０Ｂが始動する。なお、本実施形態のようにポンプが複数台ある場合には、始動するポンプ３０Ａ，３０Ｂをローテーションさせ、ポンプ３０Ａ，３０Ｂ内に水が滞留するのを防ぐことが好ましい。また、小水量を検知する方法としては、フロースイッチ４９Ａ，４９Ｂを用いずに、モータ部３３Ａ，３３Ｂの電流値による低負荷や締切圧力等その他の手段を用いてもよい。
【００４２】
図５は、制御部により実行される表示用データ設定処理の一例を示すフローチャートである。制御部６５は、給水装置１０の電源がオン（給水装置１０が起動）されると、まず不揮発性メモリ６８に記憶されている装置情報および設定情報を読み込んで必要な情報を制御用メモリ６６に記憶する（ステップＳ１００）。続いて、制御部６５は、制御用メモリ６６に記憶された装置情報および設定情報に基づいて、上記したように給水装置１０の制御を行う。このときには、制御部６５は、ポンプ３０Ａ，３０Ｂの運転状態に関する情報（運転情報）をＩ／Ｏ部７０を通じて取得して制御用メモリ６６に格納する（ステップＳ１１０）。また、制御部６５は、制御用メモリ６６に記憶されている装置情報、設定情報、および、運転情報に基づいて、通信部７３から送信するための表示用情報を設定して通信用メモリ６７に記憶する（ステップＳ１２０）。そして、制御部６５は、給水装置１０の電源がオフされるまで、ステップＳ１１０，Ｓ１２０の処理を繰り返し実行する。こうして設定された表示用情報は、給水装置１０が外部表示器８０と通信接続されたときに、通信部７３を通じて外部表示器８０へ送信される。なお、本実施形態では、制御部６５は、Ｉ／Ｏ部７０からの運転情報の入力に伴って逐次通信用メモリ６７に表示用情報を設定して記憶するものとしている。しかし、こうした例に限定されず、制御部６５は、所定期間毎（例えば、数秒毎、数分毎など）に表示用情報を設定して通信用メモリ６７に記憶してもよいし、外部から指令があったときに表示用情報を設定して通信用メモリ６７に記憶してもよい。
【００４３】
図６は、給水装置１０の電源がオンされた直後の不揮発性メモリ、制御用メモリ、及び、通信用メモリに格納されているデータの一例を示す図である。また、図７〜図９のそれぞれは、図５中ステップＳ１００〜Ｓ１２０の処理が実行されたときの不揮発性メモリ、制御用メモリ、及び、通信用メモリに格納されているデータの一例を示す図である。なお
、図６〜９中、枠内の左右に縦線が記載されているメモリ領域は、初期値が格納されていることを示す。
【００４４】
図６に示すように、不揮発性メモリ６８に記憶されている情報は電源が供給されていないときにも保持される。一例として、図６に示す例では、不揮発性メモリ６８には、装置情報として、ポンプ台数（２台）、給水方式（受水槽方式）、ポンプ口径（３０ｍｍ）、ポンプ出力（３ｋＷ）が格納されている。また、不揮発性メモリ６８には、設定情報として、各種設定値が格納されている。
【００４５】
一方、本実施形態では、給水装置１０に電源が供給されていないときには制御用メモリ６６および通信用メモリ６７の記憶は保持されず、それらのメモリ領域には電源起動時に初期値を格納する。ここで、本実施形態では、制御用メモリ６６および通信用メモリ６７の運転情報を格納するメモリ領域は、多機種の給水装置に対応できるように構成されている。つまり、想定される装置情報において最もデータ量が大きくなる装置情報に対応してメモリ領域が構成されている。例えば、本実施形態の給水装置１０は、ポンプ台数が２台であるが、所定台数（図６に示す例では６台）のポンプの運転状態に関する情報を記憶できるようにメモリ領域が確保されている。また、本実施形態の給水装置１０は、給水方式が受水槽方式であり、吸込側圧力を検出する圧力センサを有していないが、直結給水方式の給水装置にも対応できるように、吸込側圧力を格納するメモリ領域が確保されている。これにより、給水装置が直結給水方式である場合には、制御部６５は、検出された吸込側圧力を制御用メモリ６６に記憶することができる。こうしたメモリ構成により、給水装置１０の装置構成によらず制御用メモリ６６および通信用メモリ６７に記憶される情報の大きさ及び並び順などの様式を統一することができる。また、図６〜９に示す例では、運転情報としてポンプの情報、吸込側圧力、吐出側圧力が示されているが、こうした例に限定されず、目標圧ＳＶ、現在圧ＰＶ、運転モード、消耗部品の使用期間、及び、故障履歴などが含まれてもよい。さらに、ポンプの情報としては、ポンプの運転／停止、指令周波数、検出周波数、積算運転時間、及び、運転回数などのうち、少なくとも１つが含まれる。
【００４６】
制御部６５は、給水装置１０の電源がオンされると、図５中ステップＳ１００の処理を実行する。これにより、図７に示すように、不揮発性メモリ６８の装置情報および設定情報が読み込まれて制御用メモリ６６の所定のメモリ領域に格納される。
【００４７】
続いて、制御部６５により給水装置１０の制御が行われ、制御用メモリ６６には、図８に示すように、ポンプ３０Ａ，３０Ｂの運転情報が格納される。ここで、本実施形態では、制御用メモリ６６への運転情報の格納は、不揮発性メモリ６８から読み込んだ装置情報に基づいて行われるものとした。例えば、本実施形態ではポンプ台数が２台であるため、制御部６５は、２台のポンプ３０Ａ，３０Ｂについて制御用メモリ６６に運転情報を格納する。また、制御部６５は、残りのポンプ（所定台数から２台を除いた４台のポンプ）について情報を変更することなく初期値のままとする。さらに、本実施形態では給水方式が受水槽方式であるため、吐出側圧力を更新し、吸込側圧力は更新しない。こうした制御により、Ｉ／Ｏ部７０が存在しない運転情報に対応する入力ポートを有すると共に存在しない運転情報がノイズなどによって入力された場合にも、制御用メモリ６６に運転情報が格納されることを防止できる。また、本実施形態では、制御用メモリ６６に記憶されている運転情報が初期値のときには、その運転情報が存在しないことを示すものとしている。この初期値としては、各運転情報の正常値から外れた値とすればよい。なお、制御部６５は、運転情報が存在しないメモリ領域には、その旨を示す情報を更新して記憶してもよい。ただし、運転情報が存在しないことを初期値で示すと、制御用メモリ６６の書き込み量を減らすことができる点で有利である。
【００４８】
そして、制御部６５は、装置情報と運転情報とに基づいて表示用情報を設定して通信用
メモリ６７に格納する。図９に示す例では、制御部６５は、制御用メモリ６６に記憶されている情報をそのまま表示用情報として通信用メモリ６７に格納している。しかし、こうした例に限定されず、制御部６５は、予め定められている並び順に運転情報の並び替えを行ってもよいし、外部表示器８０の受信に適した様式に情報を変換してもよい。また、表示用情報は、暗号化処理等がなされていてもよい。こうして通信用メモリ６７に記憶された表示用情報は、給水装置１０が外部表示器８０と通信接続されたときに、通信部７３を通じて外部表示器８０へ送信される。表示用情報は、不揮発性メモリに記憶されていた装置情報に基づいて設定されているため、複数の装置情報に対応できるように予め定められた統一された様式とするなど、汎用性の高い情報とすることができる。このため、表示用情報を受信した外部表示器８０は、装置情報ごとの専用のソフトウェアによらず、汎用性の高いソフトウェアを用いて表示用情報を表示することができる。
【００４９】
（変形例）
図１０は、変形例の制御部および外部表示器を示す図である。変形例の制御部６５Ａは、通信部７３に代えて、制御部側アンテナ部７６を備えている点、および制御部側アンテナ部７６に接続された集積回路７７を備えている点で、実施形態の制御部と異なっている。また、図１０に示す例では、実施形態の制御用メモリ６６、通信用メモリ６７、および、不揮発性メモリ６８は、記憶部７８に含まれる。集積回路７７は、記憶部７８に電気的に接続されている。なお、図１０に示す制御部６５Ａは表示部７２を備えていないが、表示部７２を備えてもよい。また、変形例の制御部６５Ａは、ポンプ３０Ａ，３０Ｂ等の給水装置１０の他の構成と一体に設けられていてもよいし、給水装置１０のデータを中継するための装置として給水装置１０の他の構成から離れて設けられてもよい。
【００５０】
変形例の外部表示器８０は、電波を送受信する表示器側アンテナ部８１と、表示部８２と、バッテリー８３と、データリーダー８４と、を備えている。この外部表示器８０では、表示器側アンテナ部８１で受信した表示用情報がデータリーダー８４で読み取られる。そして、データリーダー８４で読み取られた表示用情報（例えば、目標圧ＳＶ、現在圧ＰＶ、ポンプ３０Ａ，３０Ｂの周波数など）が表示部８２で表示される。バッテリー８３は、表示器側アンテナ部８１、データリーダー８４、および表示部８２に電力を供給する。
【００５１】
外部表示器８０として、例えばスマートフォン、携帯電話、パソコン、タブレット等の汎用端末機器を用いてもよく、遠隔監視器などの専用の端末機器を用いてもよい。特に、スマートフォンなどの汎用端末機器を外部表示器として使用すれば、専用の表示器を制作するコストが削減できるので、給水装置のコストを下げることができる。また、複数のユーザーが個々の汎用端末機器に給水装置１０の状態を表示させることができるので、ユーザーのレベル又は目的に沿った表示操作を提供することが可能である。たとえば、マンションまたはビルの管理人のような給水装置に関する専門知識のないユーザーに対して、ポンプ３０Ａ，３０Ｂの制御に関する情報などを分かり易く知らせることができる給水装置を安価に提供することができる。
【００５２】
外部表示器８０は、近距離無線通信（ＮＦＣ：Near  Field  Communication）の技術によって制御部６５Ａと接続される。より具体的には、外部表示器８０を制御部６５Ａに近づけた状態で、表示器側アンテナ部８１が電波を発生すると、その電波を制御部側アンテナ部７６が受け取り、制御部側アンテナ部７６は電波を電力に変換する。この電力は集積回路７７および記憶部７８に供給されてこれら集積回路７７および記憶部７８を駆動する。集積回路７７は、記憶部７８に記憶されている表示用情報を読み取り、制御部側アンテナ部７６にデータを送る。制御部側アンテナ部７６は、データとともに電波を表示器側アンテナ部８１に送信する。データリーダー８４は、表示器側アンテナ部８１が受信したデータを読み取り、そのデータを表示部８２に表示させる。
【００５３】
外部表示器８０は、表示を消去するためのクリアボタン８６と、データをリセットするためのリセットボタン（不図示）を備えていてもよい。ユーザーがクリアボタン８６を押すと、表示部８２の表示が消去される。また、リセットボタンを押すと、リセット信号が制御部６５Ａに送信され、リセット信号を受信した制御部６５Ａは、メンテナンス情報などのデータをリセットする。本実施形態のクリアボタン８６は、表示部８２の画面上に現れる仮想的なボタンであるが、クリアボタン８６は表示部８２の外に設けられた機械的なボタンであってもよい。変形例の制御部６５Ａは、リセットボタンを備えていないが、制御部６５Ａにクリアボタン、リセットボタンを設けてもよい。
【００５４】
変形例では、制御部６５Ａの記憶部７８に記憶されている表示用情報は、無線通信により制御部６５Ａから外部表示器８０に送られる。変形例によれば、給水装置１０の電源が入っていない場合でも、制御部側アンテナ部７６は外部表示器８０から発せられる電波から電力を発生し、集積回路７７および記憶部７８を駆動することができる。したがって、給水装置１０のメンテンナンス中などにおいて制御部６５Ａに電力が供給されていないときでも、外部表示器８０は、制御部６５Ａの記憶部７８から表示用情報を取得して表示することができる。
【００５５】
ＮＦＣは、数ｃｍの近距離にて相互通信する技術である。変形例の制御部６５Ａが給水装置１０の他の構成と一体に設けられている場合、外部表示器８０に各種情報を表示するときには、ユーザー及びメンテナンス員は、相互通信可能な距離まで外部表示器８０を制御部６５Ａに近づけることになる。このことは、外部表示器８０を操作するときは、ユーザーおよびメンテナンス員は給水装置１０の近くにいることを意味する。このため、例えば消耗品の交換作業中にリセットボタンが押されてポンプが起動するといった誤操作に起因した給水装置１０の予期しない動作を防止することに繋がる。また、複数の給水装置１０が設置された現場では、表示したい給水装置１０の近距離で相互通信が可能となる為、意図しない別の給水装置の状態を表示してしまうという誤表示を防止することが出来る。
【００５６】
なお、図４において、通信部７３は、公衆回線やネットワーク、専用回線等を介して、保守管理会社または管理人室に設けられた遠隔監視装置(例えば、パソコン、スマートフォン、又は、専用モニター)と通信してもよい。この場合、表示用情報等が、通信部７３から遠隔監視装置に送信される。遠隔監視装置は、表示用情報を表示する表示部を備えてもよい。また、遠隔監視装置は給水装置１０から受信した表示用情報を、外部表示器８０に送信してもよい。また、外部表示器８０および遠隔監視装置は、給水装置１０から受信した表示用情報を外部サーバに送信して記憶させてもよい。
【００５７】
また、装置情報には、給水装置１０の構成を示す機種識別情報（例えば機種名、型番など）が含まれてもよい。また、制御部６５は、予め記憶された対応表を用いて、機種名から給水装置１０の装置情報（例えば、ポンプの台数、ポンプの出力、ポンプの口径、及び、給水方式のうち、少なくとも１つの情報）を取得してもよい。反対に、制御部６５は、不揮発メモリ６８に記憶されている装置情報に基づいて、給水装置の機種識別情報を取得してもよい。そして、制御部６５は、取得した装置情報または機種識別情報を表示用情報に設定して、外部表示器８０に表示させてもよい。
【００５８】
更には装置情報には、個別の給水装置１０を識別するためのシリアル番号が含まれてもよい。また、外部表示器８０および遠隔監視装置は、給水装置１０から受信したシリアル番号を外部サーバに送信し、外部サーバに記憶されたシリアル番号に対応した給水装置１０の装置情報（例えば、ポンプの台数、ポンプの出力、ポンプの口径、及び、給水方式のうち、少なくとも１つの情報）を取得してもよい。そして、取得した装置情報または機種識別情報にて、外部表示器８０にデータ表示をさせてもよい。
【００５９】
以上、本発明の実施の形態について説明してきたが、上記した発明の実施の形態は、本発明の理解を容易にするためのものであり、本発明を限定するものではない。本発明は、その趣旨を逸脱することなく、変更、改良され得るとともに、本発明にはその均等物が含まれることはもちろんである。また、上述した課題の少なくとも一部を解決できる範囲、または、効果の少なくとも一部を奏する範囲において、特許請求の範囲および明細書に記載された各構成要素の任意の組み合わせ、または、省略が可能である。
【符号の説明】
【００６０】
１０…給水装置
２０…ベース
３０Ａ，３０Ｂ…ポンプ
４０…吐出配管
４５…連結配管
４８…圧力センサ
５０…圧力タンク
６０…制御盤
６５，６５Ａ…制御部
６６…制御用メモリ
６７…通信用メモリ
６８…不揮発性メモリ
６９…演算部
７０…Ｉ／Ｏ部
７１…設定部
７２…表示部
７３…通信部
７６…制御部側アンテナ部
７７…集積回路
７８…記憶部
７９…運転パネル
８０…外部表示器
【図１】
2017198161.tif 000003
【図２】
2017198161.tif 000004
【図３】
2017198161.tif 000005
【図４】
2017198161.tif 000006
【図５】
2017198161.tif 000007
【図６】
2017198161.tif 000008
【図７】
2017198161.tif 000009
【図８】
2017198161.tif 000010
【図９】
2017198161.tif 000011
【図１０】
2017198161.tif 000012